(57)【要約】【課題】目的画像と黒帯画像との境界に対応する画面上の位置に焼き付きが発生していた。【解決手段】アスペクト比１６対９のＰＤＰ２６の画面Ａに、アスペクト比４対３の目的画像を表示させる際に目的画像の左右に黒帯画像を表示させる場合、同黒帯画像を一様な黒ベタとするのではなく、その輝度を、目的画像との境界から遠ざかるに連れて段階的に低下させ、同境界からある程度離れた位置にて最終的な輝度値約０の黒表示とするため、上記境界を挟んで画面の輝度が急激に落ち込み、同黒帯画像を付加したことによるいわゆるエッジが生じてしまうことが防止される。その結果、同境界位置に対応する画面Ａの部分に焼き付きが生じることも防止される。【選択図】図４
0003115176.tif 000002
【実用新案登録請求の範囲】
【請求項１】
デジタル放送信号を受信する受信手段と、受信したデジタル放送信号に基づく画像を１６対９のアスペクト比を有するプラズマディスプレイパネルに表示させるにあたり上記画像のアスペクト比が４対３である場合に上記画像の左右の領域に黒帯表示をさせる表示制御手段とを備えるプラズマテレビジョンにおいて、
上記表示制御手段は、
上記デジタル放送信号から取得したトランスポートストリームに格納された、上記画像のアスペクト比を示すアスペクト情報を取得することにより、上記画像のアスペクト比が４対３であるか否か判断し、
上記黒帯表示を行う際には、上記画像のうち上記左右の領域と隣接する両端部の輝度値である端部輝度値をそれぞれ取得するとともに、上記左右の各領域において、上記画像との境界から遠ざかるに連れて端部輝度値から所定の最低輝度値へと段階的に輝度を低下させた表示とし、かつ、端部輝度値から最低輝度値へと輝度を低下させる際の段階数は左右それぞれの端部輝度値のレベルに応じて増減させてあることを特徴とするプラズマテレビジョン。
【請求項２】
デジタル放送信号を受信する受信手段と、受信したデジタル放送信号に基づく画像を所定のアスペクト比を有する表示画面に表示させるにあたり上記画像のアスペクト比が上記表示画面のアスペクト比とは異なる場合に表示画面中の上記画像以外の領域に黒帯表示をさせる表示制御手段とを備える画像表示装置において、
上記表示制御手段は、上記画像以外の領域にて、デジタル放送信号に基づく画像との境界から遠ざかるに連れて段階的に輝度を低下させた黒帯表示を行わせることを特徴とする画像表示装置。
【請求項３】
上記表示制御手段は、上記デジタル放送信号から画像のアスペクト比を示すアスペクト情報を取得することにより黒帯表示の要否を判断することを特徴とする請求項２に記載の画像表示装置。
【請求項４】
上記表示制御手段は、上記画像のうち上記画像以外の領域と隣接する端部の輝度値である端部輝度値を取得するとともに、端部輝度値から上記画像以外の領域における所定の最低輝度値へと段階的に輝度を低下させた黒帯表示を行わせることを特徴とする請求項２または請求項３のいずれかに記載の画像表示装置。
【請求項５】
上記表示制御手段は、上記端部輝度値のレベルに応じて、端部輝度値から最低輝度値へと輝度を低下させる際の段階数を変化させることを特徴とする請求項４に記載の画像表示装置。
【考案の詳細な説明】
【技術分野】
【０００１】
本考案は、表示画面のアスペクト比とは異なるアスペクト比の画像を同表示画面に表示可能なプラズマテレビジョンおよび画像表示装置に関する。
【背景技術】
【０００２】
従来技術として、部分表示モードから全面表示モードに切り替えた際に、補正データ値に基づいて、表示画面に表示させる映像表示信号の輝度レベルを、表示領域と非表示領域との間で補正する画像表示装置が知られている（例えば、特許文献１参照。）。
【特許文献１】特開２００４‐１４４８１９号公報
【考案の開示】
【考案が解決しようとする課題】
【０００３】
上記文献においては、部分表示モード時には焼き付きに対する防止策を行っていない。そのため、部分表示によって画面の焼き付きが生じることを事実上容認している状況であった。   
また、同文献では、全画面表示モードの際に映像表示信号自体に対して、輝度を変化させるための補正を行なう。そのため、画像の明るさ等画像の持つ雰囲気が、入力した映像表示信号が本来意図していたものとは異なる状態で表示されてしまう恐れがあった。
【０００４】
本考案は、上記課題に鑑みてなされたもので、表示画面のアスペクト比とは異なるアスペクト比の画像を同表示画面に表示する際に画面への焼き付きが生じることを防止することの可能なプラズマテレビジョンおよび画像表示装置を提供することを目的とする。
【課題を解決するための手段】
【０００５】
上記目的を達成するため、請求項２の考案は、デジタル放送信号を受信する受信手段と、受信したデジタル放送信号に基づく画像を所定のアスペクト比を有する表示画面に表示させるにあたり上記画像のアスペクト比が上記表示画面のアスペクト比とは異なる場合に表示画面中の上記画像以外の領域に黒帯表示をさせる表示制御手段とを備える画像表示装置において、上記表示制御手段は、上記画像以外の領域にて、デジタル放送信号に基づく画像との境界から遠ざかるに連れて段階的に輝度を低下させた黒帯表示を行わせる構成としてある。
【０００６】
上記のように構成した請求項２においては、表示制御手段は、上記画像以外の領域に黒帯表示を行う際に単なる黒ベタ表示とするのではなく、画像との境界から遠ざかるに連れて段階的に輝度を低下させた黒帯表示とする。
すなわち本考案によれば、デジタル放送信号による画像と同画像以外の領域との境界において急激に輝度が低下することなく徐々に低下していくため、同境界における輝度の急激な変化によって従来発生していた画面の焼き付きが生じ難くなる。
【０００７】
請求項３の考案は、請求項２に記載の画像表示装置において、上記表示制御手段は、上記デジタル放送信号から画像のアスペクト比を示すアスペクト情報を取得することにより黒帯表示の要否を判断する構成としてある。
つまり、放送局から放送されるデジタル放送信号には、画像のアスペクト比を示すアスペクト情報が格納されているため、表示制御手段は、受信したデジタル放送信号からアスペクト情報を抽出することで、黒帯表示を行う必要があるか否かを容易に判断することができる。
【０００８】
請求項４の考案は、請求項２または請求項３のいずれかに記載の画像表示装置において、上記表示制御手段は、上記画像のうち上記画像以外の領域と隣接する端部の輝度値である端部輝度値を取得するとともに、端部輝度値から上記画像以外の領域における所定の最低輝度値へと段階的に輝度を低下させた黒帯表示を行わせる構成としてある。
【０００９】
つまり、上記境界から始まる画像以外の領域における輝度の低下のさせ方として、表示制御手段は、端部輝度値を下げ始めの最高輝度値とし、同端部輝度から黒色等にほぼ対応する所定の最低輝度値へと段階的に輝度を低下させていく。その結果、画像のうち画像以外の領域と隣接する端部から画面の外側に向けて、輝度を確実に段階的に低下させることができ、境界付近での輝度の急激な変化が防止される。
【００１０】
請求項５の考案は、請求項４に記載の画像表示装置において、上記表示制御手段は、上記端部輝度値のレベルに応じて、端部輝度値から最低輝度値へと輝度を低下させる際の段階数を変化させる構成としてある。
【００１１】
上記のように構成した請求項５においては、端部輝度値から最低輝度値へと輝度を低下させる際の段階数を、端部輝度値のレベルに応じて増減させる。例えば、端部輝度値が高輝度の画像であれば、上記画像以外の領域にて輝度を最低輝度値にまで低下させるのに多くの段階を踏んで徐々に低下させ、逆に、端部輝度値が低輝度の画像であれば、少ない段回数で最低輝度値にまで輝度を低下させる。その結果、画像の端部輝度値がどのようなレベルであっても、そのレベルに応じて輝度を確実に段階的に低下させることができ、境界付近での輝度の急激な変化が防止される。
なお、輝度を所定の段階数にて低下させる場合、各段階における輝度の下げ幅は、共通であっても良いし、異なっていてもよい。
【００１２】
上記の各構成を踏まえた上で、請求項１の考案は、デジタル放送信号を受信する受信手段と、受信したデジタル放送信号に基づく画像を１６対９のアスペクト比を有するプラズマディスプレイパネルに表示させるにあたり上記画像のアスペクト比が４対３である場合に上記画像の左右の領域に黒帯表示をさせる表示制御手段とを備えるプラズマテレビジョンにおいて、上記表示制御手段は、上記デジタル放送信号から取得したトランスポートストリームに格納された、上記画像のアスペクト比を示すアスペクト情報を取得することにより、上記画像のアスペクト比が４対３であるか否か判断し、上記黒帯表示を行う際には、上記画像のうち上記左右の領域と隣接する両端部の輝度値である端部輝度値をそれぞれ取得するとともに、上記左右の各領域において、上記画像との境界から遠ざかるに連れて端部輝度値から所定の最低輝度値へと段階的に輝度を低下させた表示とし、かつ、端部輝度値から最低輝度値へと輝度を低下させる際の段階数は左右それぞれの端部輝度値のレベルに応じて増減させてある構成としてある。
【００１３】
このように、プラズマテレビジョンという具体的製品とした請求項１においても、上記請求項２〜請求項５にて奏するものと同様の作用、効果を奏することは言うまでも無い。
【考案の効果】
【００１４】
以上説明したように本考案によれば、表示画面におけるデジタル放送信号に基づく画像以外の領域に黒帯表示を表示する際に、この黒帯表示を行うべき領域において、輝度を上記画像との境界から遠ざかるに連れて段階的に低下させるとしたため、上記境界を挟んで画面の輝度が急激に低下するということが無くなり、かかる画面輝度の急激な変化が同じ位置にて繰り返し起こることによって発生する画面への焼き付き現象を的確に防止することができる。
【考案を実施するための最良の形態】
【００１５】
以下の順序に従って、本考案の実施形態を説明する。
（１）プラズマテレビジョンの概略構成
（２）黒帯画像の付加処理
（３）まとめ
【００１６】
（１）プラズマテレビジョンの概略構成
図１は、本考案の一実施形態にかかるプラズマテレビジョンの概略構成をブロック図によって示している。
まず、プラズマテレビジョン１００は、テレビ放送局から放送されるデジタル放送信号を受信するデジタルチューナ部２２を備えている。デジタルチューナ部２２にはアンテナ部１１が接続しており、アンテナ１１は受信したデジタル放送信号を低雑音コンバータ部で中間周波信号に周波数変換し、同中間周波信号をデジタルチューナ部２２へ出力する。チューナ部２２は、ＣＰＵ２８ａから出力された選局制御信号に従って、入力された同中間周波信号に含まれる複数のチャンネルの中から一つのチャンネルを選択する。
なお、ＣＰＵ２８ａはバス２９に接続されており、同ＣＰＵ２８ａは、ＲＡＭ３２をワークエリアとしてＲＯＭ３３に記録されたプログラムを実行することにより、プラズマテレビジョン１００の各種機能を実現させる。
【００１７】
デジタルチューナ部２２の出力は、デジタル再生部２３に供給される。デジタル再生部２３は、デジタルＩ／Ｆ２３ａと復調回路２３ｂとデスクランブル部２３ｃとデマルチプレックス部２３ｄとＭＰＥＧデコーダ２３ｇとから構成されている。デジタルチューナ部２２から周波信号が入力されるデジタルＩ／Ｆ２３ａにはＡ／Ｄコンバータが備えられており、このデジタルＩ／Ｆ２３ａから信号の供給を受ける復調部には、チャンネルイコライザ、エラー訂正デコード部等も備えられている。
【００１８】
すなわち、デジタルＩ／Ｆ２３ａと復調回路２３ｂは、デジタルチューナ部２２から入力される周波信号をデジタル信号に変換するとともに、ＣＰＵ２８ａからの制御情報に基づいてデジタル復調した信号に対していわゆるゴーストキャンセルを行う。さらに、デジタルＩ／Ｆ２３ａと復調回路２３ｂは、伝送路上で発生したビット誤りを訂正し、トランスポートストリーム（ＴＳ）出力を得る。なお、以上の処理において復調回路２３ｂは、全体のデータに対する上記ビット誤りの割合をエラーレートとして検出している。
【００１９】
また、復調回路２３ｂにて復調およびエラー訂正処理を行うことにより得られたトランスポートストリームはデスクランブル部２３ｃに供給される。トランスポートストリームは、通常、スクランブルがかかっているため、このままでは適正に映像・音声を再生することはできない。そこで、デスクランブル部２３ｃがトランスポートストリームに対してデスクランブル処理を行うことにより、トランスポートストリームを再生可能なデータ配列に復元する。デスクランブル処理が行われたトランスポートストリームは、映像信号や音声信号や文字情報等が多重化された形式となっており、デマルチプレックス部２３ｄに供給される。デマルチプレックス部２３ｄでは入力されたデータに対してデマルチプレックス処理を行う。すなわち、ここで多重化が解除される。なお、デスクランブル部２３ｃとデマルチプレックス部２３ｄとはそれぞれの処理を行う際にワークエリアとしてＤＲＡＭ２３ｅを利用することが可能である。
【００２０】
デマルチプレックス処理にて多重化が解除されると、映像信号および音声信号が所定の方式により圧縮されたＭＰＥＧデータと、例えば番組に関する文字情報といった映像信号や音声信号以外のデータに分離され、後者のデータはＣＰＵ２８ａに供給される。また、所定の周波数帯において複数のチャンネルのＭＰＥＧデータが多重化されて搬送される場合においては、これらについても多重化を解除される。前者のＭＰＥＧデータはＭＰＥＧデコーダ２３ｇに供給され、同ＭＰＥＧデコーダ２３ｇにて圧縮解凍処理、つまりＭＰＥＧデコード処理が行われる。ＭＰＥＧデータをＭＰＥＧデコード処理することにより、デジタル映像信号とデジタル音声信号とが生成される。そして、ＣＰＵ２８ａは、上記デコード処理後のデジタル映像信号をスケーリング処理して一画面分の画像データを生成し、フレームメモリ２３ｆに記録する。
【００２１】
ここで、本実施形態では、上記一画面分の画像データを生成する際、必要に応じて黒帯画像データも生成する。つまり、ＣＰＵ２８ａは、黒帯画像データを生成した場合、上記デジタル放送信号による画像を表す上記デジタル映像信号に当該黒帯画像データを付加し、一画面分の画像データを完成させ、フレームメモリ２３ｆに記録する。このようにして生成された画像データは、映像出力部としてのプラズマディスプレイパネル（ＰＤＰ）２６に供給される。ＰＤＰ２６では、当該画像データに基づいてパネル駆動信号を生成し、当該駆動信号に基づいてＰＤＰ２６の各電極を駆動させることで所定の画像表示を実現する。
一方、ＭＰＥＧデコード処理により生成された音声信号は、Ｄ／Ａ変換部（不図示）に入力され、同Ｄ／Ａ変換部にてアナログ音声信号に変換される。このアナログ音声信号はプラズマテレビジョン１００の音声出力部（不図示）に入力され、音声として出力される。
【００２２】
（２）黒帯画像の付加処理
本実施形態では、上記ＰＤＰ２６の画面Ａは、アスペクト比が１６対９のモデルであるとし、この画面にアスペクト比が４対３である画像を出力する場合の処置について説明する。
図２は、ＣＰＵ２８ａが実行する黒帯画像付加処理の内容をフローチャートにより示している。当該処理は、上記フレームメモリ２３ｆに記録する一画面分の画像データを生成する際に実行される。
【００２３】
上記デコード処理後において、ＣＰＵ２８ａは、ステップＳ（以下、ステップの表記は省略。）２０２にて、上記デジタル映像信号による画像（目的画像）の横縦比（アスペクト比）を示すアスペクト情報を取得する。かかるアスペクト情報は、上記トランスポートストリームの所定領域、例えばあるトランスポートパケットのヘッダ領域に格納されている。ただし、アスペクト情報と言う概念には、画像の横縦比を直接に示すデータに限られず、画像の横縦比を特定可能な情報全てが含まれる。例えば、４８０ｉ等といったテレビ放送の方式からも画像のアスペクト比が判る場合もあり、そのような場合には、かかる方式を特定する情報がアスペクト情報となる。
【００２４】
Ｓ２０４においては、ＣＰＵ２８ａは、上記取得したアスペクト情報に基づいて、目的画像のアスペクト比が４対３であるか否か判断する。アスペクト比が４対３であれば黒帯画像データを付加する必要性が生じ得るため、Ｓ２０６の処理に進む。逆に、アスペクト比が４対３ではない場合、すなわち１６対９である場合には、黒帯画像データを付加する必要性は無いため当該フローを終了する。例えば、放送方式が４８０ｐであるデジタル放送信号にかかる画像はアスペクト比が１６対９である。
【００２５】
Ｓ２０６においては、ＣＰＵ２８ａは、目的画像をオリジナルのアスペクト比で画面Ａに表示するモード設定となっているか否か判断する。つまり、デジタル放送信号の画像を表示する際には、そのままのアスペクト比で表示するモード（オリジナル比表示モード）と、画像のアスペクト比を画面Ａのアスペクト比に変更する（４対３の画像を１６対９に横長に引き伸ばす）モード（横長表示モード）とをユーザの選択により設定可能である。そのため、ＣＰＵ２８ａは、表示モードがオリジナル比表示モードに設定されているか否か判断し、“Ｙｅｓ”の場合にＳ２０８へと処理を進める。
逆に、横長表示モードに設定されている場合には、黒帯画像データを付加する必要性は無いため当該フローを終了する。
【００２６】
Ｓ２０４，２０６の判断においていずれも“Ｙｅｓ”である場合には、Ｓ２０８において、ＣＰＵ２８ａは、黒帯画像データを生成する。
黒帯画像データの生成処理について詳述する。
図３は、黒帯を付加する場合の画面Ａ上での表示態様を示している。同図においては、画面Ａの横縦比は、Ｗ１：Ｈ１＝１６：９であり、その略中央にＷ２：Ｈ２＝４：３である領域Ａ１が存在する。すなわち、領域Ａ１に上記目的画像が出力され、領域Ａ１の左の領域Ａ２および右の領域Ａ３には黒帯画像が出力されることになる。
【００２７】
ここで、画面Ａの各画素のデータはＲＧＢ毎のデジタル階調値（例えば、０〜２５５までの２５６階調）で表現されるため、上記のような領域Ａ２，Ａ３を黒帯画像とする場合、従来では、領域Ａ２，Ａ３の全画素をＲ＝Ｇ＝Ｂ＝０、すなわち輝度値０（輝度値も同じく、０〜２５５までの２５６階調）とし、一様な黒ベタの黒帯画像とていた。
しかし、本実施形態では一様な黒ベタとはせず、ＣＰＵ２８ａは、以下のように、輝度変化を持たせた黒帯画像とする。
【００２８】
図４は、一画面分の画像データにおける水平方向の輝度値の変化を示している。具体的には、図３に示した一点鎖線上に並ぶ各画素における輝度値の変化を示している。
同図においては、横軸が画素位置であり、縦軸が各位置における画素の輝度値である。ここでは、画面Ａにおける水平方向の画素数をＭとし、Ｍ個の画素の各位置を画面Ａの左端から右端へと順に１〜Ｍと表している。
【００２９】
ｍ１は、目的画像を構成する各画素のうち最も左端の画素（左端画素）の位置であり、ｍ２は、目的画像を構成する各画素のうち最も右端の画素（右端画素）の位置である。従って、画素位置ｍ１〜ｍ２の範囲において示した輝度変化は、目的画像における輝度変化である。目的画像に対応する各画素は、ＲＧＢ毎のデジタル階調値をデータとして有しており、各画素の輝度値は、ＲＧＢの各デジタル階調値を特定の係数にて重み付け加算することで取得できる。
【００３０】
一方、領域Ａ２に対応する画素位置１〜画素位置ｍ１−１、領域Ａ３に対応する画素位置ｍ２＋１〜Ｍ、の各範囲に属する画素は、黒帯画像を表示するための黒帯画像データ（輝度値）を持つことになる。概略的には、ＣＰＵ２８ａは、目的画像の領域と黒帯画像との境界から水平方向外側に遠ざかるに連れて段階的に低下させた輝度値を各画素にその位置に応じて与える。
【００３１】
より具体的には、以下のように各画素の黒帯画像データを決定する。
ＣＰＵ２８ａは、上記領域Ａ２に対応する黒帯画像データの生成に際しては、まず左端画素の輝度値ＹＬを取得する。次に、輝度値ＹＬと所定の最低輝度値Ｙmin（基本的には、Ｙmin＝０）との差分を求める。そして、当該求めた差分を、所定の段階数Ｄで除する。このように上記差分を段階数Ｄで除して得られた数値を、一段階での輝度の落し幅ΔＹＬとする。ここで、段階数Ｄとは、領域Ａ２における輝度を輝度値ＹＬから最低輝度値Ｙminにまで段階的に落としていく際に、何段階で落とすかを示した数値である。段階数Ｄは、常に一定であっても良いし、端部輝度値（左端画素の輝度値ＹＬと右端画素の輝度値ＹＲとの総称。）のレベルに応じて変化するとしてもよい。
【００３２】
また、輝度値を上記境界から水平方向に遠ざかるに連れて低下させていく過程においては、１画素毎に低下させても良いし、水平方向に連続する所定数（２以上）の画素を一段階として低下させてもよい。例えば、水平方向に連続する３画素を一段階の単位とした場合、領域Ａ２内の画素であって上記左端画素から左方向に連続する３つの画素については、輝度値をＹＬ−ΔＹＬと決定する。以降、さらに左方向に連続する３つの画素を単位として、上記落し幅ΔＹＬずつ輝度を低下させ、左端画素から左方向に何画素か進んだ位置で最終的に最低輝度値Ｙminとする。
なお、図中のΔｍ１は、上記段階数Ｄと一段階を形成する画素数とを乗算することで得られる画素幅であり、黒帯画像の表示結果としては、領域Ａ２のうち当該画素幅の範囲においてはグレーのグラテーション表示となり、領域Ａ２のうち当該画素幅以外の範囲は黒ベタ表示となる。
【００３３】
上記段階数Ｄを端部輝度値のレベルに応じて変化させる場合、以下の構成を採用することができる。
図５は、段階数決定テーブルを示している。
段階数決定テーブルＴＢは、端部輝度値と段階数Ｄとの対応関係を決定したテーブルである。同図においては、端部輝度値が取り得る０〜２５５階調を１６の範囲に分け、各範囲に対して１〜１６の段階数Ｄを順に対応付けている。つまり、端部輝度値のレベルが高いほど段階数Ｄも高く設定されている。
【００３４】
段階数Ｄを端部輝度値のレベルに応じて変化させる場合、上記のような段階数決定テーブルＴＢを予めＲＯＭ３３などの記憶装置に保存しておく。ＣＰＵ２８ａは、Ｓ２０８の処理を実行する際に、端部輝度値を求めるとともにかかるテーブルを参照して段階数Ｄを決定する。その結果、端部輝度値が高い場合には、多くの段階を踏んで上記境界から画面の外側方向に向けて輝度を最低輝度値Ｙ１minまで低下させることができ、逆に、端部輝度値が元々低い場合には少ない段回数にて上記境界から画面の外側方向に向けて輝度を低下させる。その結果、端部輝度値がどのようなレベルであっても、適した段階数で黒帯部分の輝度を端部輝度値から最低輝度Ｙminにまで低下させることができ、上記境界近辺で輝度が急激に変化してしまうことが確実に防がれる。
【００３５】
目的画像の右の領域Ａ３に対応する黒帯画像データを生成する場合も上記と同様に、右端画素の輝度値ＹＲを取得し、当該輝度値ＹＲと上記最低輝度値Ｙminとの差分を求め、当該求めた差分を所定の段階数Ｄで除して得られた数値を一段階での輝度の落し幅ΔＹＲとする。そして、かかる落し幅ΔＹＲと段階数Ｄに基づき、領域Ａ３において、上記右端画素から右方向に、各画素の輝度値を段階的に低下させ決定していく。
【００３６】
Ｓ２１０においては、ＣＰＵ２８ａは、上記のように領域Ａ２，Ａ３の各画素の輝度値を決定することで生成した黒帯画像データを上記デジタル映像信号が表す画像の左右に付加し、全体のアスペクト比が１６対９となる画像データを生成する。そして、かかる画像データを上記フレームメモリ２３ｆに記録する。
以降においては、上述したように、ＰＤＰ２６がこの画像データに基づいて画面Ａに画像表示を行う。なお、Ｓ２０４，２０６のいずれかにおいて“Ｎｏ”の判断がなされた場合には、画面Ａには黒帯画像が表示されず、アスペクト比１６対９の目的画像が表示される。
【００３７】
図６は、上記のように生成した黒帯画像データに基づいて画面Ａに表示された黒帯画像等を示している。
同図においては、領域Ａ１にはアスペクト比４対３の目的画像が表示され、領域Ａ２，Ａ３には黒帯画像が表示されている。そして、領域Ａ２においては、領域Ａ１との境界Ｅから水平方向左側に向かって輝度が段階的に低くなっており、複数段階を経て最終的に輝度値０の黒ベタ表示となっている。同様に、領域Ａ３においては、領域Ａ１との境界Ｅから水平方向右側に向かって輝度が段階的に低くなっており、複数段階を経て最終的に輝度値０の黒ベタとなっている。同図の領域Ａ２，Ａ３では、斜線の密度によって画面の濃淡を表している。
【００３８】
なお、図６のように黒帯画像の縦方向ではその輝度を変化させない場合、ＣＰＵ２８ａは、上記輝度の落し幅ΔＹや段階数Ｄを決定する際に、端部輝度平均値や端部輝度最高値などを求める必要がある。
つまり、目的画像中の画素のうち左右の領域Ａ２，Ａ３と隣接している両端の一列における、各画素の輝度の平均値（端部輝度平均値）をそれぞれ求め、これらを左端画素の輝度値ＹＬ、右端画素の輝度値ＹＲと見なし、落し幅ΔＹや段階数Ｄを左右それぞれで決定する。その結果、領域Ａ２，Ａ３のそれぞれにおいて、適切な落し幅ΔＹや段階数Ｄにて水平方向外側に輝度値を段階的に低下させた黒帯画像を表示できる。
【００３９】
あるいは、目的画像中の画素のうち左右の領域Ａ２，Ａ３と隣接している両端の一列における、最高輝度値（端部輝度最高値）をそれぞれ求め、これらを左端画素の輝度値ＹＬ、右端画素の輝度値ＹＲと見なし、落し幅ΔＹや段階数Ｄを左右それぞれで決定してもよい。
【００４０】
なお上記においては、端部輝度値と段階数Ｄとが決まれば輝度の落し幅ΔＹは一定としているが、ある端部輝度値から最低輝度値Ｙminにまで段階数Ｄにて輝度を低下させていく場合に、各段階での落し幅を徐々に大きくしたり、逆に、徐々に小さくしてもよい。
【００４１】
また、これまではアスペクト比１６対９の画面Ａにアスペクト比４対３の目的画像を表示する際の左右の黒帯画像について水平方向に輝度変化を持たせる旨説明したが、このような構成を、アスペクト比４対３の画面にアスペクト比１６対９の目的画像を表示する際の上下の黒帯画像について縦方向に輝度変化を持たせる場合に適用することも可能である。
【００４２】
（３）まとめ
以上説明したように本考案によれば、アスペクト比１６対９のＰＤＰ２６の画面Ａに、アスペクト比４対３の目的画像を表示させる際に目的画像の左右に黒帯画像を表示させる場合、同黒帯画像を一様な黒ベタとするのではなく、その輝度を、目的画像との境界から遠ざかるに連れて段階的に低下させ、同境界からある程度離れた位置にて最終的な輝度値約０の黒表示とするため、上記境界を挟んで画面の輝度が急激に落ち込み、同黒帯画像を付加したことによるいわゆるエッジが生じてしまうことが防止される。その結果、同境界位置に対応する画面Ａの部分に焼き付きが生じることも防止される。
【００４３】
また、本考案は、従来技術のように目的画像を構成するデータに対して輝度補正を行なうものではないため、受信により得られたデジタル映像信号が元々示している明るさ等、目的画像の本来的な雰囲気を壊すことなく出力表示することができる。
【図面の簡単な説明】
【００４４】
【図１】本考案にかかるプラズマテレビジョンの概略構成を示したブロック図。
【図２】黒帯画像付加処理の内容を示したフローチャート。
【図３】目的画像と黒帯画像との位置関係等を示した図。
【図４】水平方向への輝度値の変化を示した図。
【図５】段階数決定テーブルを示した図。
【図６】本考案にかかる黒帯画像が付加された画面表示の様子を示した図。
【符号の説明】
【００４５】
２２…デジタルチューナ部
２３…デジタル再生部
２３ａ…デジタルＩ／Ｆ
２３ｂ…復調回路
２３ｃ…デスクランブル部
２３ｄ…デマルチプレックス部
２３ｅ…ＤＲＡＭ
２３ｇ…ＭＰＥＧデコーダ
２３ｆ…フレームメモリ
２６…ＰＤＰ
２８ａ…ＣＰＵ
１００…プラズマテレビジョン
【図１】
0003115176.tif 000003
【図２】
0003115176.tif 000004
【図３】
0003115176.tif 000005
【図４】
0003115176.tif 000006
【図５】
0003115176.tif 000007
【図６】
0003115176.tif 000008